【手続補正書】
【提出日】平成15年4月9日(2003.4.9)
【手続補正１】
【補正対象書類名】明細書
【補正対象項目名】特許請求の範囲
【補正方法】変更
【補正の内容】
【特許請求の範囲】
【請求項１】
フィルム給送状態を電気的に検出してコマ数を電気的に計数する計数手段と、
前記計数手段へ給電する給電手段と、
前記計数手段に電圧を印加する電圧印加手段とを具備し、
前記計数手段は、前記電圧印加手段より電圧が印加されている時には、前記給電手段による給電状態にかかわらず、前記計数動作可能であることを特徴とする電動カメラ。
【請求項２】
前記計数手段の出力を電気的に表示する表示手段と、
前記表示手段に前記計数手段の出力を表示させる為に、前記電圧印加手段の出力を前記計数手段に供給する操作手段とを更に有し、
前記表示手段は、前記電圧印加手段の出力が、前記操作手段を介して前記計数手段に供給されている時は、前記給電手段による給電状態にかかわらず、前記電気的表示を行うことを特徴とする請求項１に記載の電動カメラ。
【請求項３】
前記給電手段の作動を所定時間維持するタイマ手段を更に備え、
前記タイマ手段による計時動作は、前記計数手段の出力に基づいて再開されることを特徴とする請求項１に記載の電動カメラ。
【請求項４】
手動フィルム給送手段と、
電動フィルム給送手段と、
前記手動フィルム給送手段によるフィルム給送と、前記電動フィルム給送手段によるフィルム給送とを電気的に検出し、給送されるフィルムのコマ数を電気的に計数する計数手段と、
前記計数手段の出力を電気的に表示する表示手段と、
前記計数手段および前記表示手段に給電を行う電源給電手段と、
前記電源給電手段からの給電を制御する給電制御手段とを備え、
前記給電制御手段は、前記電動フィルム給送手段の作動を許可する第１モード時には、前記電源給電手段からの給電を、
前記電動フィルム給送手段と前記計数手段と前記表示手段とに行い、
前記手動フィルム給送手段のみの作動を許可する第２モード時には、
前記電源給電手段からの給電を、前記計数手段にのみ行うことを特徴とする電動カメラ。
【請求項５】
前記電動フィルム給送手段の作動を許可する許可手段と、
前記許可手段を覆う蓋部材を備えたことを特徴とする請求項４に記載の電動カメラ。
【請求項６】
前記電源給電手段は、
前記第２モードにおいて、前記表示手段による前記計数手段の出力の電気的表示を可能とする操作部材を含むことを特徴とする請求項４に記載の電動カメラ。
【手続補正２】
【補正対象書類名】明細書
【補正対象項目名】００１０
【補正方法】変更
【補正の内容】
【００１０】
【課題を解決するための手段】
この目的を達成するために、第１発明の電動カメラは、フィルム給送状態を電気的に検出してコマ数を電気的に計数する計数手段と、計数手段へ給電する給電手段と、計数手段に電圧を印加する電圧印加手段とを具備し、計数手段は、電圧印加手段より電圧が印加されている時には、給電手段による給電状態にかかわらず、計数動作可能であることを特徴とする。


【手続補正３】
【補正対象書類名】明細書
【補正対象項目名】００１１
【補正方法】変更
【補正の内容】
【００１１】
第２発明の電動カメラは、手動フィルム給送手段と、電動フィルム給送手段と、手動フィルム給送手段によるフィルム給送と、電動フィルム給送手段によるフィルム給送とを電気的に検出し、給送されるフィルムのコマ数を電気的に計数する計数手段と、計数手段の出力を電気的に表示する表示手段と、計数手段および表示手段に給電を行う電源給電手段と、電源給電手段からの給電を制御する給電制御手段とを備え、給電制御手段は、電動フィルム給送手段の作動を許可する第１モード時には、電源給電手段からの給電を、電動フィルム給送手段と計数手段と表示手段とに行い、手動フィルム給送手段のみの作動を許可する第２モード時には、電源給電手段からの給電を、計数手段にのみ行うことを特徴とする。


【手続補正４】
【補正対象書類名】明細書
【補正対象項目名】００２１
【補正方法】変更
【補正の内容】
【００２１】
電池２２からの給電は、電源スイッチ８を経由して電源回路１９およびＣＰＵ２０に対して行われる。電池２２からの定電圧出力は、ＣＰＵ２０も含めた回路系すべてに伝達される。電源回路１９の出力は、ＣＰＵ２０からの信号でオンオフされる。


【手続補正５】
【補正対象書類名】明細書
【補正対象項目名】００２２
【補正方法】変更
【補正の内容】
【００２２】
モータ１６および１７を含めた制御は、すべてＣＰＵ２０を中心として実行される。ＣＰＵ２０内には不揮発性記憶回路２１が存在し、刻々変化する各種データを格納する。格納されているデータには、設定された露出モード、シャッタタイム、および絞り値の他、本発明に関わるフィルム枚数値などがあり、それらは電池２２が取り去られても消去されずに記憶され続ける。


【手続補正６】
【補正対象書類名】明細書
【補正対象項目名】００３７
【補正方法】変更
【補正の内容】
【００３７】
ステップＳ１１において、電源タイマが起動されたあるいは継続中であるので、発振回路２４を高周波（例えば４ＭＨｚ）に設定する。ステップＳ１２において、前回の処理で記録していたメモリ２１内の枚数情報をＬＣＤ６上に表示させる。ＬＣＤ６の表示は、図７、図８、または図９のいずれかとなる。ステップＳ２から初めて起動された場合には露出関連の処理が未だされていないために図７の表示となり、セグメント３２によるフィルム枚数のみの表示が行われる。ステップＳ２にて電源タイマが継続中である場合には、その前の露出関連のデータがあるので図８のようなフル表示が行われる。セグメント３０および３１にて、それぞれシャッタタイムおよび絞り値が表示される。また後述のようにフィルムの残りが無くなった場合には、図９のような表示となる。


【手続補正７】
【補正対象書類名】明細書
【補正対象項目名】００４３
【補正方法】変更
【補正の内容】
【００４３】
ステップＳ３１において、パルスが発生していないのでステップＳ２６で開始している計時がタイムアップしたか否かを判断する。タイムアップしていなければステップＳ２７に戻って再度パルスの発生を判断する。ステップＳ３２において、ステップＳ２６で開始した計時がタイムアップした、すなわち所定時間経過後にもフィルム１コマ分巻き上げられていないことはフィルム終端である事を示すので、巻上げモータ１７を停止する。この時同時にステップＳ２６で開始した計時動作は停止する。ステップＳ３３において、ＬＣＤ６にフィルムが終了した旨の表示を行う。即ち、図９に示すようにセグメント３２にて警告を行う。その後、図３のステップＳ１に復帰して、上記のシーケンスを辿って、巻戻しされるのを待機する。


【手続補正８】
【補正対象書類名】明細書
【補正対象項目名】００４５
【補正方法】変更
【補正の内容】
【００４５】
以上のように、電源スイッチ８がオフの状態で手動巻戻しが行われ、その後に図３のステップＳ１にて電源スイッチ８が改めて投入されたと判断され、さらに電源起動がステップＳ１０にて実行された場合に、減算された結果の枚数値がステップＳ１２の処理によってＬＣＤ６上に表示される。これにより、撮影者は巻戻しされた事、あるいは巻戻し状況を確認することが可能となる。


【手続補正９】
【補正対象書類名】明細書
【補正対象項目名】００５７
【補正方法】変更
【補正の内容】
【００５７】
【発明の効果】
以上のように、本発明の電動カメラによれば、計数手段は、電圧印加手段より電圧が印加されている時には、給電手段による給電状態にかかわらず、計数動作可能とされている。これにより、特に、手動フィルム給送手段によるフィルム給送時には、計数手段へのみ給電を行うことで、電池の消耗度合や周囲の状況に合わせて、電動または手動フィルム給送手段の内の最適な手段を選択する事ができると共に、その枚数表示は電気光学素子によって見易い位置に大きな表示が行われ、フィルム給送手段の如何に関わらずフィルム枚数に関する表示が正しく行うことが可能となる。